(57)【要約】【課題】本発明は、主索端部を安定した力で保持することができ、主索端部の破損を防止することができるエレベータの主索端末装置を得ることを目的とするものである。【解決手段】主索端末装置は、ソケット３と楔集合体６とを有している。楔集合体６は、第１の楔４と第２の楔５とを有している。ソケット３には、テーパ状の楔挿入孔３ａが設けられている。第１及び第２の楔４，５は、引張荷重作用部１ａを中心として互いに対向した状態で楔挿入孔３ａに挿入されている。これにより引張荷重作用部１ａの一部は、第１及び第２の楔４，５間に挟持されている。【選択図】図２
2009051650.tif 000002
【特許請求の範囲】
【請求項１】
テーパ状の楔挿入孔を有するソケット、及び
上記楔挿入孔に挿入され、主索端部の折り曲げ部が巻き掛けられる巻き掛け部が設けられている楔集合体
を備え、
上記楔集合体は、上記主索端部の引張荷重が作用する部分である引張荷重作用部を挟持する第１及び第２の楔を有していることを特徴とするエレベータの主索端末装置。
【請求項２】
上記巻き掛け部は、上記第１の楔に設けられ、上記第２の楔の上記折り曲げ部側の端部に係合することを特徴とする請求項１記載のエレベータの主索端末装置。
【請求項３】
上記楔集合体は、上記巻き掛け部が設けられているとともに上記第１及び第２の楔の上記折り曲げ部側の端部に係合する第３の楔をさらに有していることを特徴とする請求項１記載のエレベータの主索端末装置。
【請求項４】
上記第１及び第２の楔の上記引張荷重作用部と接する部分は、上記引張荷重作用部の外周部よりも硬度の低い材料で構成されていることを特徴とする請求項１から請求項３までのいずれか１項に記載のエレベータの主索端末装置。
【発明の詳細な説明】
【技術分野】
【０００１】
この発明は、かごや釣合おもりを吊り下げるための主索の端部に取り付けられるエレベータの主索端末装置に関するものである。
【背景技術】
【０００２】
従来のエレベータの主索端末装置では、折り曲げられた主索端部の内側に楔が配置された状態で、主索端部及び楔がソケット内に挿入される。そして、主索に引張荷重が作用することにより、主索端部及び楔がソケット内に引き込まれ、主索端部の引張荷重を受ける部分は、ソケットの内壁面と楔との間に挟持される。即ち、主索端部に作用する引張荷重は、主索端部とソケットとの間の摩擦抵抗と主索端部と楔との間の摩擦抵抗とによって支持される（例えば、特許文献１参照）。
【０００３】
【特許文献１】特開平５−３９１８０号公報
【発明の開示】
【発明が解決しようとする課題】
【０００４】
上記のような従来の主索端末装置では、引張荷重が増加すると、楔の引き込み量が増え、楔のソケットからの突出量が増大する。これにより、主索端部のソケットと楔との間に挟持されている部分の長さが短くなり、この部分の主索端部に生じる応力が大きくなり、主索端部が破損し易くなる。
【０００５】
この発明は、上記のような課題を解決するためになされたものであり、主索端部を安定した力で保持することができ、主索端部の破損を防止することができるエレベータの主索端末装置を得ることを目的とする。
【課題を解決するための手段】
【０００６】
この発明に係るエレベータの主索端末装置は、テーパ状の楔挿入孔を有するソケット、及び楔挿入孔に挿入され、主索端部の折り曲げ部が巻き掛けられる巻き掛け部が設けられている楔集合体を備え、楔集合体は、主索端部の引張荷重が作用する部分である引張荷重作用部を挟持する第１及び第２の楔を有している。
【発明の効果】
【０００７】
この発明のエレベータの主索端末装置は、主索端部の引張荷重作用部が第１及び第２の楔間に挟持されるので、第１及び第２の楔のソケットからの突出量が増大しても、第１及び第２の楔と引張荷重作用部との接触長さは変化せず、従って主索端部を安定した力で保持することができ、主索端部の破損を防止することができる。
【発明を実施するための最良の形態】
【０００８】
以下、この発明を実施するための最良の形態について、図面を参照して説明する。
実施の形態１．
図１はこの発明の実施の形態１によるエレベータの主索端末装置を示す側面図、図２は図１のＩＩ−ＩＩ線に沿う断面図、図３は図２のＩＩＩ−ＩＩＩ線に沿う断面図である。
【０００９】
図において、主索端末装置は、主索端部１に取り付けられている。主索端部１は、かごや釣合おもりの荷重による引張荷重が作用する直線状の引張荷重作用部１ａと、引張荷重作用部１ａに隣接し円弧状に折り曲げられている折り曲げ部１ｂと、引張荷重作用部１ａとは反対側で折り曲げ部１ｂに隣接する折り返し端１ｃとを有している。折り返し端１ｃは、締結具２により引張荷重作用部１ａに締結されている。
【００１０】
主索端末装置は、ソケット３と楔集合体６とを有している。楔集合体６は、第１の楔４と第２の楔５とを有している。ソケット３には、テーパ状の楔挿入孔３ａが設けられている。第１及び第２の楔４，５は、引張荷重作用部１ａを中心として互いに対向された状態で楔挿入孔３ａに挿入されている。これにより、引張荷重作用部１ａの一部は、第１及び第２の楔４，５間に挟持されている。
【００１１】
第１及び第２の楔４，５の少なくとも引張荷重作用部１ａと接する部分は、引張荷重作用部１ａの外周部よりも硬度の低い材料で構成されている。ソケット３には、シャックルロッド７が固定されている。シャックルロッド７は、昇降路、かご又は釣合おもりに設けられた綱止め部に接続される。
【００１２】
図４は図２の第１の楔４を示す斜視図、図５は図２の楔集合体６を示す正面図、図６は図５の楔集合体６を示す平面図である。第１の楔４の第２の楔５に対向する面には、引張荷重作用部１ａが挿入される直線状の第１の引張荷重作用部挿入溝４ａが設けられている。
【００１３】
また、第１の楔４には、折り曲げ部１ｂが巻き掛けられるとともに第２の楔５の折り曲げ部１ｂ側の端部に係合する巻き掛け部４ｂが設けられている。巻き掛け部４ｂには、折り曲げ部１ｂの内周部が挿入される円弧状の折り曲げ部挿入溝４ｃが設けられている。
【００１４】
第２の楔５には、第１の引張荷重作用部挿入溝４ａに対向し引張荷重作用部１ａが挿入される直線状の第２の引張荷重作用部挿入溝５ａが設けられている。引張荷重作用部１ａの一部は、第１及び第２の引張荷重作用部挿入溝４ａ，５ａ間に挟持される。
【００１５】
第１及び第２の楔４，５を組み合わせてなる楔集合体６の正面には、折り返し端１ｃが挿入される直線状の折り返し端挿入溝６ａが設けられている。折り返し端１ｃの一部は、折り返し端挿入溝６ａとソケット３の内壁面との間に挟持される。
【００１６】
次に、動作について説明する。引張荷重作用部１ａに引張荷重が作用することにより、第１の楔４がソケット３内に引き込まれる。このとき、巻き掛け部４ｂが第２の楔５に係合するため、第２の楔５もソケット３内に引き込まれる。これにより、引張荷重作用部１ａが第１及び第２の楔４，５間に挟持され、引張荷重作用部１ａに作用する引張荷重は、引張荷重作用部１ａと第１及び第２の楔４，５との間の摩擦抵抗により支持される。
【００１７】
このような主索端末装置では、引張荷重作用部１ａに作用する引張荷重が増加して、楔集合体６のソケット３からの突出量が増大しても、第１及び第２の楔４，５と引張荷重作用部１ａとの接触長さは変化しない。このため、主索端部１を安定した力で保持することができ、主索端部１の破損を防止することができる。即ち、主索端部１の引張強度の低下を最小限に抑え、主索端部１との締結効率を向上させることができる。
【００１８】
また、第１の楔４に巻き掛け部４ｂを設けたので、簡単な構成により第２の楔５を第１の楔４とともにソケット３内に引き込むことができる。
さらに、第１及び第２の楔４，５の少なくとも引張荷重作用部１ａと接する部分は、引張荷重作用部１ａの外周部よりも硬度の低い材料で構成されているので、第１及び第２の楔４，５の圧縮による主索端部１の損傷を防止することができる。また、引張荷重作用部１ａを第１及び第２の楔４，５間にしっかりと食い込ませることができる。
【００１９】
実施の形態２．
次に、図７はこの発明の実施の形態２によるエレベータの主索端末装置の楔集合体を示す側面図、図８は図７の楔集合体を示す正面図、図９は図７の楔集合体を示す平面図であり、主索端部１及びソケット３の構造は実施の形態１と同様である。
【００２０】
図において、実施の形態２の楔集合体１１は、第１ないし第３の楔１２〜１４を有しており、図７〜図９に示すように組み合わされた状態で楔挿入孔３ａに挿入される。引張荷重作用部１ａの一部は、第１及び第２の楔１２，１３間に挟持される。
【００２１】
第１の楔１２の第２の楔１３に対向する面には、引張荷重作用部１ａが挿入される直線状の第１の引張荷重作用部挿入溝１２ａが設けられている。第２の楔１３には、第１の引張荷重作用部挿入溝１２ａに対向し引張荷重作用部１ａが挿入される直線状の第２の引張荷重作用部挿入溝１３ａが設けられている。引張荷重作用部１ａの一部は、第１及び第２の引張荷重作用部挿入溝１２ａ，１３ａ間に挟持される。
【００２２】
第３の楔１４は、折り曲げ部１ｂが巻き掛けられる巻き掛け部１４ａを有している。巻き掛け部１４ａには、折り曲げ部１ｂの内周部が挿入される円弧状の折り曲げ部挿入溝１４ｂが設けられている。また、巻き掛け部１４ａは、第１及び第２の楔１２，１３の折り曲げ部１ｂ側の端部に係合する。
【００２３】
さらに、第３の楔１４には、折り返し端１ｃが挿入される直線状の折り返し端挿入溝１４ｃが設けられている。折り返し端１ｃの一部は、折り返し端挿入溝１４ｃとソケット３の内壁面との間に挟持される。
【００２４】
次に、動作について説明する。引張荷重作用部１ａに引張荷重が作用することにより、折り曲げ部１ｂが巻き掛けられた第３の楔１４がソケット３内に引き込まれる。このとき、巻き掛け部１４ａが第１及び第２の楔１２，１３に係合するため、第１及び第２の楔１２，１３もソケット３内に引き込まれる。これにより、引張荷重作用部１ａが第１及び第２の楔１２，１３間に挟持され、引張荷重作用部１ａに作用する引張荷重は、引張荷重作用部１ａと第１及び第２の楔１２，１３との間の摩擦抵抗により支持される。
【００２５】
このような主索端末装置では、引張荷重作用部１ａに作用する引張荷重が増加して、楔集合体１１のソケット３からの突出量が増大しても、第１及び第２の楔１２，１３と引張荷重作用部１ａとの接触長さは変化しない。このため、主索端部１を安定した力で保持することができ、主索端部１の破損を防止することができる。
【図面の簡単な説明】
【００２６】
【図１】この発明の実施の形態１によるエレベータの主索端末装置を示す側面図である。
【図２】図１のＩＩ−ＩＩ線に沿う断面図である。
【図３】図２のＩＩＩ−ＩＩＩ線に沿う断面図である。
【図４】図２の第１の楔を示す斜視図である。
【図５】図２の楔集合体を示す正面図である。
【図６】図５の楔集合体を示す平面図である。
【図７】この発明の実施の形態２によるエレベータの主索端末装置の楔集合体を示す側面図である。
【図８】図７の楔集合体を示す正面図である。
【図９】図７の楔集合体を示す平面図である。
【符号の説明】
【００２７】
１  主索端部、１ａ  引張荷重作用部、１ｂ  折り曲げ部、１ｃ  折り返し端、３  ソケット、３ａ  楔挿入孔、４，１２  第１の楔、４ｂ，１４ａ  巻き掛け部、５，１３  第２の楔、６，１１  楔集合体、１４  第３の楔。
【図１】
2009051650.tif 000003
【図２】
2009051650.tif 000004
【図３】
2009051650.tif 000005
【図４】
2009051650.tif 000006
【図５】
2009051650.tif 000007
【図６】
2009051650.tif 000008
【図７】
2009051650.tif 000009
【図８】
2009051650.tif 000010
【図９】
2009051650.tif 000011